(57)【要約】      （修正有）【課題】草の根を引き抜く際に手を汚さず、根の張る力に反することなく抜くことができるように、土の中に挿入しやすい刃を設け、刃で根をかませながら柄の持ち手をひねることで刃に根を巻き込み、更に刃が土をかきほぐすことで抜き取りやすいようにする。【解決手段】刃を薄い細長いものにして土に挿入しやすい形にする。刃先はペンチ状にかみ合わせ、左右をそれぞれ凹と凸にして根を巻き込んではさめるようにする。柄は回転軸芯を中心にハサミ状に薄くして、指を通す輪を設け刃先の開閉しやすい物とする。刃先を草の付け根部分に差し込み、刃の凹凸部に根をかませて回転させながらひねって抜くことにより、力がほとんど入らずに手を汚さず草が除去できる。【選択図】図３
0003137805.tif 000002
【実用新案登録請求の範囲】
【請求項１】
ペンチ状の刃は左右かみ合わせ部分を凸と凹に分け、根をしっかり巻き込んで挟み込むようにさせる。更に、刃先を薄く細長くすることで、土に挿入しやすく、土の中で根を挟んだまま刃先を回転させてひねり抜きやすくさせる。回転軸芯を中心にしたハサミ状の柄もたせ指を入れる持ち手の輪の部分を作り、開閉をしやすくさせる。薄く細長いペンチ状の刃先を左右凹凸でかみ合わせハサミ状の柄で開閉させることを特徴とする草取り用ペンチ式ハサミである。
【考案の詳細な説明】
【技術分野】
【０００１】  本考案は、ペンチの挟む部分を細長く薄い刃にし、左右の刃のかみ合わせにそれぞれ凹と凸を設ける。柄は回転軸芯を中心にハサミ状のものにし握り手には指を入れる輪を作り全体的に軽く開閉の楽にできるものにする。刃先は土に挿入しやすいように薄く先を細めたものにするが、その際丸く尖らせた物にし、安全性は保てるようにする草取りに関するものである。
【背景技術】
【０００２】  従来の用具は、刈り取る・かきとる・引き抜く・摘み取るものであった。土が固く用具が扱いにくかったり、根の張る力に反して抜こうとすることで力がいるものであったり、手が汚れやすいものがあった。そして、どれも草の大小には対応しにくいものであった。
【考案の開示】
【考案が解決しようとする課題】
【０００３】  重みのある用具は肩や腕に負担がかかり、小型の物の中には手が汚れるものがある。又、草を刈る・根を引き抜く・かき取るものは土の固さに手を焼いたり、根や茎の力が強く力仕事になり、長時間は労働的にかなり負担になったりする。そのため、手をよごさず、根の張る力に反することなく根をひねり取るために土の中に挿入しやすい刃で根をしっかりと挟み、横回転をすることで引き抜く力を軽減させる。刃は平たく薄いものにし、かみ合わせの部分に凹凸を加えて挟む力を強化させ、刃先の操作がし易いように柄には指を通す輪を作ることで欠点を解決しようとするものである。
【課題を解決するための手段】
【０００４】  本考案は、草を根ごと除去するために、土の中に挿入しやすい薄く細長い刃にし、挟みの効きをよくするために、左右をそれぞれ凹と凸の刃に分けてかみ合わせ部分を強化させる。又、握りの部分は刃先の開閉幅が楽に調整できるように指を入れる部分の輪をつくる。そして、手元をひねることで刃先が土の中で回転し、刃に根を巻きつけ土をほぐしながら草ひねり抜くことができる。このことで課題を解決し、草の大小に関係なく対応できるものである。
【考案の効果】
【０００５】  ペンチ状ハサミにすることで、用具を薄型にでき重量を減らす。草の大小にあわせて、開閉幅を自在にし、草の付け根部分の土に差し込んだ刃で根をはさみ、ハサミをひねりながら抜く。薄型の刃なので、土の中で回転させやすく、回転することで土から根を引き抜きやすくする。このことで、少ない力で根こそぎ草取りができる。
【考案を実施するための最良の形態】
【０００６】  握りの部分は親指と他の残りの指で、自在に動かせる輪型にし、雑草の付け根部分に合わせて刃先の開閉幅が調整できるようにする。刃のかみ合わせは凹と凸にすることで、根をしっかりと噛んで掴むことができる。薄いペンチ状ハサミにすることで、用具が軽くなり、土にも挿入しやすい物で、長時間の使用がしやすくなる。
【実施例】
【０００７】以下、添付図面に従って本発明の実施例について説明する。用具の形状をペンチ状ハサミにし、薄いペンチ状に５ａ・５ｂのように握り手の輪の部分を付けハサミのように開閉にする。ペンチ状のかみ合わせは２ａ・２ｂのように凹と凸にする。刃はハサミのように薄く細長くし、土に挿入しやすい先の尖らせたものにする。本発明は、草取り用に発明されたもので、さびにくく丈夫なステンレル等の材質の刃にし、握り手はプラスチック等で、重さの軽減ができ、手に優しく、置き忘れ防止等ができるように色の工夫ができるものにする。用具全体として丈夫で洗えるものにする。
【産業上の利用可能性】
【０００８】（イ）土の中に刃先が入りやすい。
（ロ）根を凹と凸部分の刃でしっかりと挟み込む。
（ハ）土の中で、刃先を回転しやすく、根をつかんだままひねり抜きやすい。
（ニ）ひねり抜くことで、引っ張り抜く力が軽減する。
（ホ）手を汚さずに簡単に草取りができる。
【図面の簡単な説明】
【０００９】
【図１】本考案の草取り用ペンチ式ハサミの実施例を示す。ペンチのように刃がかみ合うが、ハサミのように薄型である。
【図２】本発明の実施例の斜視図。柄がハサミ状で握り部分が指を入れる輪になっている。
【図３】本草取り用ペンチ式ハサミの刃の部分の図である。刃先は丸みをもたせ、かみ合わせが凹凸の刃である。刃本にいくほど刃と溝部分を広めにする。
【図４】本考案の草取り用ペンチ式ハサミの刃と溝の輪切り図である。
【符号の説明】
【０００１０】  １ａ・１ｂ  挟み
２ａ        挟み凸部分
２ｂ        挟み凹部分
３          回転軸芯
４ａ・４ｂ  柄
５ａ・５ｂ  把持部
【図１】
0003137805.tif 000003
【図２】
0003137805.tif 000004
【図３】
0003137805.tif 000005
【手続補正書】
【提出日】平成19年8月30日(2007.8.30)
【手続補正１】
【補正対象書類名】実用新案登録請求の範囲
【補正対象項目名】全文
【補正方法】変更
【補正の内容】
【実用新案登録請求の範囲】
【請求項１】
草取り用ペンチ式ハサミにおいて、
（１）ペンチ状の刃は左右かみ合わせ部分を凹と凸に分け、根をしっかり巻き込んで挟み込むようにさせたものであり、
（２）刃先を薄く細長くすることで、土に挿入しやすく、土の中で根を挟んだまま刃先を回転させてひねり抜きやすくさせたものであり、
（３）ハサミ状の指を入れる持ち手の輪の部分を持つ柄は、軽量で開閉を楽にさせたものであり、
以上の構成からなる草取り用ペンチ式ハサミ。
【手続補正２】
【補正対象書類名】図面
【補正対象項目名】全図
【補正方法】変更
【補正の内容】
【図１】
0003137805.tif 000006
【図２】
0003137805.tif 000007
【図３】
0003137805.tif 000008
【図４】
0003137805.tif 000009
【手続補正３】
【補正対象書類名】明細書
【補正対象項目名】０００９
【補正方法】変更
【補正の内容】
【０００９】
【図１】本考案の草取り用ペンチ式ハサミの実施例を示す。ペンチのように刃がかみ合うが、ハサミのように薄型である。
【図２】本発明の実施例の斜視図。柄がハサミ状で握り部分が指を入れる輪になっている。
【図３】本草取り用ペンチ式ハサミの刃の部分の図である。刃先は丸みをもたせ、かみ合わせが凹凸の刃である。刃本にいくほど刃と溝部分を広めにする。
【図４】図３のＡ−Ａ線で切断した断面図。